(57)【特許請求の範囲】
【請求項１】
被写体を撮像して該被写体の電子的な画像データを生成する撮像部と、前記撮像部が生成した前記画像データに対応する第１の画像を表示可能な表示部とを備える撮像装置であって、
当該撮像装置が行う処理に関する情報の入力を受け付ける入力部と、
前記入力部が受け付けた情報に応じて、前記第１の画像に第１の視覚効果を与える処理を施して第２の画像を生成すると共に、前記第２の画像に対して第２の視覚効果を与える画像処理を施す画像処理部と、
前記第１の視覚効果と前記第２の視覚効果との組み合わせに応じた推奨度を与える推奨度情報を記憶する推奨度情報記憶部と、
前記第２の画像を前記表示部に表示させるとともに、前記推奨度情報記憶部が記憶する前記推奨度情報を参照して、前記第２の視覚効果に関する情報を、前記第１の視覚効果との組み合わせに応じた前記推奨度の高い順に前記表示部に表示させる表示制御部と、
を備えることを特徴とする撮像装置。
【請求項２】
前記画像処理部は、前記第１の視覚効果を与えるパラメータを用いて、前記撮像部が生成したＲＡＷ画像データを撮影処理済み画像データに変換する処理を実行し、さらに、前記撮影処理済み画像データに対して第２の視覚効果を与える画像処理を施すことを特徴とする請求項１に記載の撮像装置。
【請求項３】
前記第１の視覚効果は、前記第１の画像全体に対して与えられる効果であり、
前記第２の視覚効果は、前記第２の画像の少なくとも一部に与えられる効果であることを特徴とする請求項１に記載の撮像装置。
【請求項４】
前記画像処理部は、前記撮像部が生成したＲＡＷ画像データを撮影処理済み画像データに変換する処理を実行した後で、前記撮影処理済み画像データに対して前記第１の視覚効果を与える第１の画像処理を施し、さらに、前記第１の画像処理が施された前記撮影処理済みデータに対し、前記第２の視覚効果を与える前記第１の画像処理とは異なる第２の画像処理を施すことを特徴とする請求項１に記載の撮像装置。
【請求項５】
前記表示制御部は、前記入力部が受け付けた前記第１の視覚効果に対して組み合わせることが可能な第２の視覚効果に関する情報のみを前記表示部に表示させることを特徴とする請求項１〜４のいずれか１項に記載の撮像装置。
【請求項６】
前記第１の視覚効果と前記第２の視覚効果との組み合わせの使用履歴情報を記憶する使用履歴情報記憶部と、
前記画像処理部が前記第２の視覚効果を与える画像処理を実行するごとに前記使用履歴情報を更新する使用履歴更新部と、
前記使用履歴情報記憶部が記憶する前記使用履歴情報に基づいて、前記推奨度情報に含まれる前記第１の視覚効果と前記第２の視覚効果との組み合わせの中で使用回数が所定回数を超える組み合わせの前記推奨度を変更する推奨度変更部と、
をさらに備えることを特徴とする請求項１〜５のいずれか１項に記載の撮像装置。
【請求項７】
前記第１の視覚効果及び前記第２の視覚効果が与えられた第３の画像の再生回数及び／又は再生時間に関する履歴情報を、前記第１の視覚効果と前記第２の視覚効果との組み合わせと対応づけて記憶する履歴情報記憶部と、
前記履歴情報記憶部が記憶する前記履歴情報に基づいて、前記推奨度情報に含まれる前記第１の視覚効果と前記第２の視覚効果との組み合わせの中で、再生回数が所定回数を越える組み合わせ及び／又は再生時間が所定時間を越える組み合わせの前記推奨度を変更する推奨度変更部と、
をさらに備えることを特徴とする請求項１〜５のいずれか１項に記載の撮像装置。
【請求項８】
前記推奨度変更部が変更した前記推奨度を初期状態に戻す初期化部をさらに備え、
前記初期化部は、前記入力部が受け付けた情報に応じて前記推奨度を戻すことを特徴とする請求項６又は７に記載の撮像装置。
【請求項９】
前記入力部は、前記表示部に操作メニューに関する情報の表示を指示する指示信号の入力を受け付けるメニュースイッチを有し、
前記表示制御部は、前記メニュースイッチから前記指示信号が入力された場合、前記入力部が受け付けた第１の視覚効果に関する情報に関わらず、前記第２の視覚効果に関する情報を一覧表示することを特徴とする請求項１〜８のいずれか一つに記載の撮像装置。
【請求項１０】
前記入力部は、前記表示部の表示画面上に設けられ、外部から接触する物体の位置に応じた信号の入力を受け付けるタッチパネルを有し、
前記表示制御部は、前記第２の視覚効果に関する情報をアイコンによって前記表示部に表示させ、
前記画像処理部は、前記タッチパネルが前記アイコンの表示領域上に位置する接触領域で入力を受け付けた前記アイコンに対応する第２の視覚効果を、前記第２の画像に施すことを特徴とする請求項１〜９のいずれか一つに記載の撮像装置。
【請求項１１】
前記表示制御部は、前記第１の視覚効果と前記第２の視覚効果との組み合わせの特徴に応じて前記アイコンの色及び／又は大きさを変えて前記表示部に表示させることを特徴とする請求項１０に記載の撮像装置。
【請求項１２】
外部と相互方向に通信可能な通信部をさらに備え、
前記推奨度変更部は、前記通信部を介して受信した情報に基づいて前記推奨度情報を更新及び／又は変更することを特徴とする請求項６〜８のいずれか一つに記載の撮像装置。
【請求項１３】
被写体を撮像して該被写体の電子的な画像データを生成し、該画像データに対応する第１の画像を表示可能である撮像装置に、
前記第１の画像に与えられる第１の視覚効果に関する情報の入力を受け付ける第１の入力ステップと、
前記第１の入力ステップにおいて入力された情報に応じて、前記第１の画像に第１の視覚効果を与える画像処理を施して第２の画像を生成する第１の画像処理ステップと、
前記第２の画像に与えられる第２の視覚効果に関する情報の入力を受け付ける第２の入力ステップと、
前記第２の入力ステップにおいて入力された情報に応じて、前記第２の画像に第２の視覚効果を与える画像処理を施す第２の画像処理ステップと、
前記第２の画像を表示させるとともに、前記第１の視覚効果と前記第２の視覚効果との組み合わせに応じた推奨度を与える推奨度情報を記憶する推奨度情報記憶部から該推奨度情報を読み出して参照し、前記第２の視覚効果に関する情報を、前記第１の視覚効果との組み合わせに応じた前記推奨度の高い順に表示させる表示ステップと、
を実行させることを特徴とする撮像プログラム。
【発明の詳細な説明】
【技術分野】
【０００１】
本発明は、被写体を撮像して電子的な画像データを生成する撮像装置及び撮像プログラムに関する。
【背景技術】
【０００２】
近年、デジタルカメラやデジタルビデオ等の撮像装置において、被写体を撮像した画像データ（以下、撮像データという）に対し、ユーザの要望に応じた画像処理を施すことができる技術が普及している。具体的には、鮮鋭化処理、ソフトフォーカス処理、粒状処理、色調処理等、数多くの画像処理が知られている。このような画像処理は、１種類だけでなく、複数種類組み合わせて施される場合もある。
【０００３】
ところが、画像処理には、同一の撮像データに対して施すことが不適切である組み合わせや、効果が相殺されてしまう組み合わせが存在する。そのため、無駄な操作や作業効率の低下を抑制するために、画像処理の管理や操作手順を確立することが提案されている。例えば、特許文献１においては、互いに相反する或いは無意味な組み合わせの処理同士が同一の画像に対して指示された場合に、一部の処理をキャンセルすることとしている。
【０００４】
また、撮像データに対して特殊な視覚効果を与える画像処理を施すことにより、ユーザの多様な画像の利用法に対応し、楽しみを拡張する技術も知られている。例えば、特許文献２には、撮像データにワイプやセピア等の特殊効果を施した画像データを記録することができる技術が開示されている。この技術においては、ユーザに所望の特殊効果を容易に選択させるために、選択された特殊効果をモニタにプレビューしている。
【０００５】
一方、撮影された画像の管理に関連する技術として、例えば特許文献３には、画像ファイルのタイトル、コメント、視聴回数、視聴時間等のパラメータ値から評価値を算出し、この評価値に基づいて所定数の撮影画像を評価の高い順に再生対象として抽出して一覧表示することが開示されている。
【先行技術文献】
【特許文献】
【０００６】
【特許文献１】特開２０００−４３５５号公報
【特許文献２】特開２００５−３４７８８６号公報
【特許文献３】特開２００６−２７９１１９号公報
【発明の概要】
【発明が解決しようとする課題】
【０００７】
最近では、被写体を撮像した画像に対して複数の視覚効果を重ねて施すことも行われている。そのため、所望の画像が得られるような視覚効果の組み合わせを、ユーザが容易に選択することができるユーザインタフェースが望まれている。しかしながら、例えば特許文献２のように、選択された効果が施された画像をプレビューする方法では、膨大な効果の組み合わせを逐一プレビュー表示することになり、かえってユーザは、効果の組み合わせを選択しにくくなってしまう。一方、メーカー側が不適切と想定する効果の組み合わせを全てキャンセルしてしまうと、ユーザが意図的にそのような効果を組み合わせた画像を作成して楽しむことができなくなってしまう。
【０００８】
本発明は、上記に鑑みてなされたものであって、被写体を撮像した画像に対して重ねて施す複数の視覚効果の組み合わせを、ユーザが容易に選択して楽しむことができる撮像装置及び撮像プログラムを提供することを目的とする。
【課題を解決するための手段】
【０００９】
上述した課題を解決し、目的を達成するために、本発明に係る撮像装置は、被写体を撮像して該被写体の電子的な画像データを生成する撮像部と、前記撮像部が生成した前記画像データに対応する第１の画像を表示可能な表示部とを備える撮像装置であって、当該撮像装置が行う処理に関する情報の入力を受け付ける入力部と、前記入力部が受け付けた情報に応じて、前記第１の画像に第１の視覚効果を与える処理を施して第２の画像を生成すると共に、前記第２の画像に対して第２の視覚効果を与える画像処理を施す画像処理部と、前記第１の視覚効果と前記第２の視覚効果との組み合わせに応じた推奨度を与える推奨度情報を記憶する推奨度情報記憶部と、前記第２の画像を前記表示部に表示させるとともに、前記推奨度情報記憶部が記憶する前記推奨度情報を参照して、前記第２の視覚効果に関する情報を、前記第１の視覚効果との組み合わせに応じた前記推奨度の高い順に前記表示部に表示させる表示制御部とを備えることを特徴とする。
【００１０】
上記撮像装置において、前記画像処理部は、前記第１の視覚効果を与えるパラメータを用いて、前記撮像部が生成したＲＡＷ画像データを撮影処理済み画像データに変換する処理を実行し、さらに、前記撮影処理済み画像データに対して第２の視覚効果を与える画像処理を施すことを特徴とする。
【００１１】
上記撮像装置において、前記第１の視覚効果は、前記第１の画像全体に対して与えられる効果であり、前記第２の視覚効果は、前記第２の画像の少なくとも一部に与えられる効果であることを特徴とする。
【００１２】
上記撮像装置において、前記画像処理部は、前記撮像部が生成したＲＡＷ画像データを撮影処理済み画像データに変換する処理を実行した後で、前記撮影処理済み画像データに対して前記第１の視覚効果を与える第１の画像処理を施し、さらに、前記第１の画像処理が施された前記撮影処理済み画像データに対し、前記第２の視覚効果を与える前記第１の画像処理とは異なる第２の画像処理を施すことを特徴とする。
【００１３】
上記撮像装置において、前記表示制御部は、前記入力部が受け付けた前記第１の視覚効果に対して組み合わせることが可能な第２の視覚効果に関する情報のみを前記表示部に表示させることを特徴とする。
【００１４】
上記撮像装置は、前記第１の視覚効果と前記第２の視覚効果との組み合わせの使用履歴情報を記憶する使用履歴情報記憶部と、前記画像処理部が前記第２の視覚効果を与える画像処理を実行するごとに前記使用履歴情報を更新する使用履歴更新部と、前記使用履歴情報記憶部が記憶する前記使用履歴情報に基づいて、前記推奨度情報に含まれる前記第１の視覚効果と前記第２の視覚効果との組み合わせの中で使用回数が所定回数を超える組み合わせの前記推奨度を変更する推奨度変更部とをさらに備えることを特徴とする。
【００１５】
上記撮像装置は、前記第１の視覚効果及び前記第２の視覚効果が与えられた第３の画像の再生回数及び／又は再生時間に関する履歴情報を、前記第１の視覚効果と前記第２の視覚効果との組み合わせと対応づけて記憶する履歴情報記憶部と、前記履歴情報記憶部が記憶する前記履歴情報に基づいて、前記推奨度情報に含まれる前記第１の視覚効果と前記第２の視覚効果との組み合わせの中で、再生回数が所定回数を越える組み合わせ及び／又は再生時間が所定時間を越える組み合わせの前記推奨度を変更する推奨度変更部とをさらに備えることを特徴とする。
【００１６】
上記撮像装置は、前記推奨度変更部が変更した前記推奨度を初期状態に戻す初期化部をさらに備え、前記初期化部は、前記入力部が受け付けた情報に応じて前記推奨度を戻すことを特徴とする。
【００１７】
上記撮像装置において、前記入力部は、前記表示部に操作メニューに関する情報の表示を指示する指示信号の入力を受け付けるメニュースイッチを有し、前記表示制御部は、前記メニュースイッチから前記指示信号が入力された場合、前記入力部が受け付けた第１の視覚効果に関する情報に関わらず、前記第２の視覚効果に関する情報を一覧表示することを特徴とする。
【００１８】
上記撮像装置において、前記入力部は、前記表示部の表示画面上に設けられ、外部から接触する物体の位置に応じた信号の入力を受け付けるタッチパネルを有し、前記表示制御部は、前記第２の視覚効果に関する情報をアイコンによって前記表示部に表示させ、前記画像処理部は、前記タッチパネルが前記アイコンの表示領域上に位置する接触領域で入力を受け付けた前記アイコンに対応する第２の視覚効果を、前記第２の画像に施すことを特徴とする。
【００１９】
上記撮像装置において、前記表示制御部は、前記第１の視覚効果と前記第２の視覚効果との組み合わせの特徴に応じて前記アイコンの色及び／又は大きさを変えて前記表示部に表示させることを特徴とする。
【００２０】
上記撮像装置は、外部と相互方向に通信可能な通信部をさらに備え、前記推奨度変更部は、前記通信部を介して受信した情報に基づいて前記推奨度情報を更新及び／又は変更することを特徴とする。
【００２１】
本発明に係る画像処理プログラムは、被写体を撮像して該被写体の電子的な画像データを生成し、該画像データに対応する第１の画像を表示可能である撮像装置に、前記第１の画像に与えられる第１の視覚効果に関する情報の入力を受け付ける第１の入力ステップと、前記第１の入力ステップにおいて入力された情報に応じて、前記第１の画像に第１の視覚効果を与える画像処理を施して第２の画像を生成する第１の画像処理ステップと、前記第２の画像に与えられる第２の視覚効果に関する情報の入力を受け付ける第２の入力ステップと、前記第２の入力ステップにおいて入力された情報に応じて、前記第２の画像に第２の視覚効果を与える画像処理を施す第２の画像処理ステップと、前記第２の画像を表示させるとともに、前記第１の視覚効果と前記第２の視覚効果との組み合わせに応じた推奨度を与える推奨度情報を記憶する推奨度情報記憶部から該推奨度情報を読み出して参照し、前記第２の視覚効果に関する情報を、前記第１の視覚効果との組み合わせに応じた前記推奨度の高い順に表示させる表示ステップとを実行させることを特徴とする。
【発明の効果】
【００２２】
本発明によれば、表示制御部が上記第２の画像を表示部に表示させるとともに、推奨度情報記憶部が記憶する前記推奨度情報を参照して、第２の視覚効果に関する情報を第１の視覚効果との組み合わせに応じた推奨度の高い順に表示部に表示させるので、ユーザは、表示部の表示を参照することにより、被写体を撮像した画像に対して重ねて施す複数の視覚効果の組み合わせを容易に選択して楽しむことが可能となる。
【図面の簡単な説明】
【００２３】
【図１】図１は、本発明の一実施の形態に係る撮像装置の構成を示すブロック図である。
【図２】図２は、本発明の一実施の形態に係る撮像装置の被写体に面する側の外観を示す図である。
【図３】図３は、本発明の一実施の形態に係る撮像装置のユーザに面する側の外観を示す図である。
【図４−１】図４−１は、本発明の一実施の形態に係る撮像装置が行う処理の概要を示すフローチャートである。
【図４−２】図４−２は、本発明の一実施の形態に係る撮像装置が行う処理の概要を示すフローチャートである。
【図５】図５は、撮像装置が撮影モードで被写体を撮影する際の状況及び表示部が表示する画像の一例を示す図である。
【図６】図６は、撮像装置の表示部が表示する操作メニューの一例を示す図である。
【図７】図７は、撮像装置の表示部が表示する特殊効果メニューの一例を示す図である。
【図８】図８は、撮像装置の表示部が表示する画像の一例を示す図である。
【図９】図９は、撮像装置の表示部が表示する画像の一例を示す図である。
【図１０】図１０は、撮像装置の推奨度情報記憶情報部が記憶する推奨度情報テーブルの一例を示す図である。
【図１１】図１１は、撮像装置の表示部が表示する画像の一例を示す図である。
【図１２】図１２は、撮像装置の表示部が表示する画像の一例を示す図である。
【図１３】図１３は、撮像装置の表示部が表示する画像の一例を示す図である。
【図１４】図１４は、撮像装置の表示部が表示する画像の一例を示す図である。
【図１５】図１５は、撮像装置の表示部が表示する画像の一例を示す図である。
【図１６】図１６は、撮像装置の推奨度情報記憶情報部が記憶する推奨度情報テーブルの一例を示す図である。
【図１７】図１７は、図４−１に示す設定された条件で表示用画像データを生成する処理の概要を示すフローチャートである。
【図１８】図１８は、図４−１に示す撮影処理の概要を示すフローチャートである。
【図１９】図１９は、図４−１に示す再生表示処理の概要を示すフローチャートである。
【図２０】図２０は、撮像装置の表示部が表示する補助効果メニューの一例を示す図である。
【図２１】図２１は、撮像装置の表示部が表示する画像の一例を示す図である。
【発明を実施するための形態】
【００２４】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００２５】
図１は、本発明の一実施の形態に係る撮像装置の構成を示すブロック図である。図２は、本発明の一実施の形態に係る撮像装置の被写体に面する側（前面側）の構成を示す図である。図３は、本発明の一実施の形態に係る撮像装置のユーザに面する側（背面側）の構成を示す図である。
【００２６】
図１〜図３に示すように、撮像装置１は、被写体を撮像し、撮像した被写体の電子的な画像データを生成する撮像部２と、撮像装置１の加速度を検出する姿勢検出部３と、撮像部２が撮像する視野領域に光を照射する発光部４と、撮影日時の判定機能やタイマー機能を有する時計５と、撮像装置１が行う処理に関する各種情報の入力を受け付ける操作入力部６と、撮像部２が生成した画像データに対応する画像を表示する表示部７と、外部からの接触位置に応じた信号の入力を受け付けるタッチパネル８と、撮像部２によって生成された画像データを含む各種情報を記憶する記憶部９と、インターネットを介して各種データベースと相互方向に送受信を行う通信部１０と、撮像装置１の動作を制御する制御部１１とを備える。
【００２７】
撮像部２は、レンズ部２ａと、レンズ駆動機構２ｂと、絞り２ｃと、絞り駆動機構２ｄと、シャッタ２ｅと、シャッタ駆動機構２ｆと、撮像素子２ｇと、信号処理部２ｈとを有する。
【００２８】
レンズ部２ａは、フォーカスレンズやズームレンズ等を用いて構成され、所定の視野領域からの光を集光する。レンズ駆動機構２ｂは、ＤＣモータ等を用いて構成され、レンズ部２ａのフォーカスレンズやズームレンズ等を光軸Ｌ１上で移動させることにより、レンズ部２ａのピント位置や焦点距離等の変更を行う。
【００２９】
絞り２ｃは、レンズ部２ａが集光した光の入射量を制限することにより露出の調整を行う。絞り駆動機構２ｄは、ステッピングモータ等を用いて構成され、絞り２ｃを駆動する。
【００３０】
シャッタ２ｅは、撮像素子２ｇの状態を露光状態又は遮光状態に設定する。シャッタ駆動機構２ｆは、ステッピングモータ等を用いて構成され、レリーズ信号に応じてシャッタ２ｅを駆動する。
【００３１】
撮像素子２ｇは、レンズ部２ａが集光した光を受光して電気信号（アナログ信号）に変換するＣＣＤ（Charge  Coupled  Device）やＣＭＯＳ（Complementary  Metal  Oxide  Semiconductor）等を用いて構成され、変換した電気信号を信号処理部２ｈに出力する。
【００３２】
信号処理部２ｈは、撮像素子２ｇから出力される電気信号に増幅等の信号処理を施した後、Ａ／Ｄ変換を行うことによってデジタルの画像データ（ＲＡＷ画像データ）に変換して制御部１１に出力する。
【００３３】
姿勢検出部３は、加速度センサを用いて構成される。姿勢検出部３は、撮像装置１の加速度を検出することにより、撮像装置１の姿勢状態及び／又は動きを検出する。具体的には、姿勢検出部３は、水平面を基準としたときの撮像装置１の姿勢を検出する。
【００３４】
発光部４は、キセノンランプやＬＥＤ（Light  Emitting  Diode）等を用いて構成される。発光部４は、撮像部２の視野領域へ向けて補助光であるストロボ光を照射する。
【００３５】
時計５は、撮像装置１の動作の基準となる時間信号を生成する。これにより、制御部１１は、撮像素子２ｇから画像データを取得する取得時間や撮像素子２ｇの露光時間等を設定することができる。
【００３６】
操作入力部６は、撮像装置１の電源状態をオン状態又はオフ状態に切換える電源スイッチ６ａと、撮影の指示を与えるレリーズ信号を入力するレリーズスイッチ６ｂと、撮像装置１の各種撮影のモードを切換えるモード切換スイッチ６ｃと、撮像装置１の各種設定を切換える操作スイッチ６ｄと、撮像装置１の各種撮影モードや、画像に与えられる視覚効果（特殊効果及び補助効果）に関する情報を表示部７に表示させるメニュースイッチ６ｅと、撮像部２のズーム操作を行うズームスイッチ６ｆとを有する。また、操作スイッチ６ｄは、表示部７が画像上に表示するアイコン、例えば特殊効果及び補助効果に関するアイコンを選択又は決定の指示を与える指示信号を出力する。
【００３７】
表示部７は、液晶又は有機ＥＬ（Electro  Luminescence）等からなる表示パネルを用いて実現される。表示部７は、撮像部２が生成する画像データに対応する画像を表示する。表示部７は、撮像装置１の操作情報及び撮影に関する情報を適宜表示する。
【００３８】
タッチパネル８は、表示部７の表示画面上に重ねて設けられる（図３を参照）。タッチパネル８は、ユーザが表示部７で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態においては、いずれの方式のタッチパネルであっても適用可能である。なお、本実施の形態においては、タッチパネル８が入力部として機能する。
【００３９】
記憶部９は、撮像装置１の内部に固定的に設けられるフラッシュメモリやＲＡＭ（Random  Access  Memory）等の半導体メモリを用いて実現される。記憶部９は、撮像部２が撮影した画像データを記憶する画像データ記憶部９ａと、撮像装置１が実行する各種プログラム及び本発明の一実施の形態に係る撮像プログラムを記憶するプログラム記憶部９ｂと、撮像によって得られる画像に対して２種類の視覚効果を重ねて施す際に、それらの視覚効果の組み合わせに応じた推奨度を与える推奨度情報テーブルを記憶する推奨度情報記憶部９ｃと、２種類の視覚効果の組み合わせの使用履歴を示す使用履歴情報を記憶する使用履歴情報記憶部９ｄと、２種類の視覚効果が施された画像の再生履歴を示す再生履歴情報を２種類の視覚効果の各組み合わせと対応づけて記憶する再生履歴情報記憶部９ｅとを有する。なお、記憶部９に対し、外部から装着されるメモリカード等の記憶媒体に対して情報を記憶する一方、記憶媒体が記憶する情報を読み出す記録媒体インターフェースとしての機能を具備させてもよい。
【００４０】
通信部１０は、通信インターフェースとしての機能を有し、ネットワーク（図示せず）を介してサーバ（図示せず）やパーソナルコンピュータ等の外部処理装置と相互方向に送受信を行う。通信部１０は、外部処理装置との間で送受信を行うことにより、撮像装置１の各種プログラムデータや推奨度情報テーブルに関するデータを取得する。なお、通信部１０は、有線又は無線ＬＡＮ（Local  Area  Network）を介してネットワークに接続される。
【００４１】
制御部１１は、ＣＰＵ（Central  Processing  Unit）等によって実現される。制御部１１は、操作入力部６からの操作信号等に応じて記憶部９のプログラム記憶部９ｂからプログラムを読み出して実行し、撮像装置１を構成する各部に対する指示やデータの転送等を行って撮像装置１の動作を統括的に制御する。制御部１１は、撮影モード設定部１１ａと、画像処理部１１ｂと、使用履歴更新部１１ｃと、再生履歴更新部１１ｄと、推奨度変更部１１ｅと、初期化部１１ｆと、表示制御部１１ｇとを有する。
【００４２】
撮影モード設定部１１ａは、各撮影シーンに適した撮影条件が予め設定された複数の撮影モードの中からいずれかの撮影モードを撮像装置１に設定する。具体的には、撮影モード設定部１１ａは、モード切換スイッチ６ｃ又はメニュースイッチ６ｅ等から入力される操作信号、あるいは撮像部２が生成する画像データの特性に基づいて撮像装置１の撮影モードを設定する。ここで、撮影条件とは、絞り値、シャッタ速度、ＩＳＯ感度、ホワイトバランス及び彩度等のパラメータ情報である。また、画像データの特性とは、画像データに含まれるコントラスト、彩度及び主要被写体が画像内に占める占有面積等である。
【００４３】
画像処理部１１ｂは、信号処理部２ｈから順次出力されるＲＡＷ画像データに対して各種画像処理及び画像変換を施すことにより、ユーザ所望の視覚効果が与えられた画像に対応する表示用画像データを生成する。また、画像処理部１１ｂは、レリーズ信号に応じたタイミングで信号処理部２ｈから出力されるＲＡＷ画像データに対して各種画像処理及び画像変換を施すことにより、ユーザ所望の視覚効果が与えられた画像に対応する撮影処理済み画像データを生成すると共に、撮影処理済み画像データにＪＰＥＧ又はＭＰＥＧ等の圧縮処理を施し、この画像データを記憶部９に格納する。詳細には、画像処理部１１ｂは、信号処理部２ｈから出力されたＲＡＷ画像データにエッジ強調、色補正及びγ補正等、各種画像処理及び画像変換を施して、ＹＣｂＣｒデータやＲＧＢデータ等の形式の表示用画像データ及び撮影処理済み画像データを生成する。
【００４４】
また、画像処理部１１ｂは、特殊効果処理部１１１及び補助効果処理部１１２を有する。
特殊効果処理部１１１は、タッチパネル８が入力を受け付けた情報に応じて、ユーザ所望の特殊効果を画像に与える処理を行う。具体的には、特殊効果処理部１１１は、ユーザ所望の特殊効果を画像に与える画像処理及び画像変換のパラメータを設定する。このように設定されたパラメータで、画像処理部１１ｂにおける各種画像処理及び画像変換を実行することにより、第１の効果が与えられた表示用画像データや撮影処理済み画像データが生成される。
【００４５】
特殊効果の内容としては、例えば、撮像部２のレンズ部２ａの前面に各種光学フィルター（色変換フィルターやコントラスト調整フィルター等）を設けた場合に得られる効果と同様の効果、特定用途の撮影レンズ（魚眼レンズやアオリ機構付き撮影レンズ等）を用いた場合に得られる効果と同様の効果、フィルムに所定の処理を行った場合に得られる効果と同様の効果（例えばネガポジ反転）、その他、所定の仕上がり感若しくは雰囲気を与える効果等が挙げられる。具体例としては、撮影画像をカラフルで鮮やかな元気な色の作風に仕上げるポップアート効果、撮影画像をソフトフォーカス特有の幻想的な作風に仕上げるファンタジックフォーカス効果、撮影画像をトイカメラで撮影したような周辺が減光された作風に仕上げるトイフォト効果、周囲のピントをぼかして目の前の風景をおもちゃのように仕上げるジオラマ効果、撮影画像をモノクロ写真ならではの力強さや荒々しさを強調した作風に仕上げるラフモノクローム効果、撮影画像を線画で描写して輪郭を強調した作風に仕上げるスケッチ効果等がある。
【００４６】
このような特殊効果は、通常、メーカーが推奨する複数の個別効果のセット（組み合わせ）によって構成される。上記の通り、特殊効果は、通常行われる画像処理及び画像変換処理の中で、パラメータを変更することによって実現されるので、比較的高速に実行することができる。
【００４７】
一方、補助効果処理部１１２は、タッチパネル８が入力を受け付けた情報に応じて、ユーザ所望の補助効果を画像の全体又は一部に与える画像処理を、表示用画像データ又は撮影処理済み画像データに変換された後の画像データに対して施す。画像処理対象の画像データとしては、特殊効果処理部１１１により設定されたパラメータを用いて生成された表示用画像データ又は撮影処理済み画像データ（即ち、特殊効果が付与された画像データ）であっても良いし、オリジナルのパラメータを用いて生成された表示用画像データ又は撮影処理済み画像データ（即ち、特殊効果が付与されていない画像データ）であっても良い。
【００４８】
補助効果の内容としては、例えば、撮像部２のレンズ部２ａの前面に各種光学フィルター等を設けた場合に得られる効果と同様の効果、画像の一部に描画又はスタンプを押すのと同様の効果、画像の一部を切り取るのと同様の効果、その他、所定の仕上がり感若しくは雰囲気を与える効果等が挙げられる。具体例としては、画像を幻想的な作風に仕上げるソフトフォーカス効果、画像の周縁部の輝度を低くして、ピンホールカメラで撮影したように見せるピンホール効果、画像の周縁部を白く飛ばすホワイトアウト効果、画像内の輝点に光条を描画するスターライト効果、画像を所望の大きさや形状に切り取るフレーム効果等がある。
【００４９】
このような補助効果は、表示用画像データや撮影処理済み画像データに対して、色相、彩度、若しくは明度の調整処理、所定の領域への描画処理等の画像処理を追加的に施すことによって実現される。従って、１つの画像に複数の補助効果を重ねて与えることも可能であるし、特殊効果が施された画像に補助効果を重ねることも可能である。
【００５０】
画像処理部１１ｂは、撮像部２が生成したＲＡＷ画像データに対応する画像に特殊効果を施した上で、さらに補助効果を重ねて施しても良いし、撮像部２が生成したＲＡＷ画像データに対応する画像に、互いに異なる２種類の補助効果を順次施しても良い。また、特殊効果及び／又は補助効果が施される画像データは、撮像部２が生成した静止画の画像データに基づくものであっても良いし、撮像部２が連続的に生成した画像データに基づくものであっても良い。
【００５１】
使用履歴更新部１１ｃは、画像処理部１１ｂが特殊効果及び／又は補助効果を施した画像を生成するごとに、使用履歴情報記憶部９ｄが記憶する使用履歴情報を更新する。
【００５２】
再生履歴更新部１１ｄは、特殊効果及び／又は補助効果を施した画像が表示部７に再生表示されるごとに、或いは、そのような画像に対応する画像データが通信部１０を介して出力されるごとに、再生履歴情報記憶部９ｅが記憶する再生履歴情報を更新する。
【００５３】
推奨度変更部１１ｅは、使用履歴情報記憶部９ｄが記憶する使用履歴情報、又は、再生履歴情報記憶部９ｅが記憶する再生履歴情報に基づいて、推奨度情報記憶部９ｃが記憶する推奨度情報テーブルに含まれる特殊効果と補助効果との組み合わせ、又は補助効果同士の組み合わせの中で、使用回数（時間）又は再生回数（時間）が所定回数（時間）を超える組み合わせの推奨度を変更する。使用回数又は再生回数としては、静止画像にあっては、当該組み合わせで被写体が撮像された回数、当該組み合わせの画像が編集又は再生された回数、当該組み合わせの画像が外部機器に出力された回数等が含まれる。また、動画にあっては、当該組み合わせで被写体が撮影された回数（時間）、当該組み合わせの画像が編集又は再生された回数（時間）、当該組み合わせの画像が外部機器に出力された回数（時間）等が含まれる。
【００５４】
初期化部１１ｆは、推奨度変更部１１ｅが変更した推奨度情報テーブルの推奨度を初期状態に戻す。具体的には、初期化部１１ｆは、メニュースイッチ６ｅからの操作信号に応じて、メーカーが撮像装置１の出荷時に設定した推奨度情報テーブルの初期状態に戻す。
【００５５】
表示制御部１１ｇは、表示部７の表示を制御する。具体的には、表示制御部１１ｇは、撮影モード設定部１１ａが設定した撮影モードで撮像部２が生成した画像データに対応する画像を表示部７に表示させると共に、特殊効果に関する情報及び／又は補助効果に関する情報をアイコンによって表示部７に表示させる。また、表示制御部１１ｇは、撮像部２が生成した画像データに対して特殊効果処理部１１１により特殊効果が施された場合に、推奨度情報記憶部９ｃが記憶する推奨度情報テーブルを参照し、特殊効果を施された画像に対して補助効果処理部１１２が施すべき補助効果に関する情報を、特殊効果との組み合わせに応じた推奨度の高い順に表示部７に表示させる。或いは、表示制御部１１ｇは、撮像部２が生成した画像データに対して補助効果処理部１１２により補助効果が施された場合に、推奨度情報記憶部９ｃが記憶する推奨度情報テーブルを参照し、補助効果を施された画像に対して補助効果処理部１１２が重ねて施すべき補助効果に関する情報を、先に施された補助効果との組み合わせに応じた推奨度の高い順に表示部７に表示させる。
【００５６】
以上の構成を有する撮像装置１が行う処理について説明する。図４−１及び図４−２は、撮像装置１が行う処理の概要を示すフローチャートである。なお、以下においては静止画撮影を例に説明するが、動画撮影にも適用することができる。
【００５７】
図４−１において、まず、制御部１１は、撮像装置１の電源がオンになっているか否かを判断する（ステップＳ１０１）。撮像装置１の電源がオンになっている場合（ステップＳ１０１：Ｙｅｓ）、撮像装置１はステップＳ１０２に移行する。一方、撮像装置１の電源がオンになっていない場合（ステップＳ１０１：Ｎｏ）、撮像装置１は本処理を終了する。
【００５８】
続いて、制御部１１は、撮像装置１が撮影モードに設定されているか否かを判断する（ステップＳ１０２）。撮像装置１が撮影モードに設定されている場合（ステップＳ１０２：Ｙｅｓ）、画像処理部１１ｂは、信号処理部２ｈが出力したＲＡＷ画像データを取り込み、設定された条件に従って所定の処理を施して表示用画像データを生成する（ステップＳ１０３）。この表示用画像データは、一定の微小な時間間隔で連続的に生成される。表示制御部１１ｇは、表示用画像データに対応する画像のスルー画像（ライブビュー画像）を表示部７に表示させる（ステップＳ１０４）。
【００５９】
図５は、撮像装置１が撮影モードで被写体を撮影する際の状況及び表示部７が表示する画像の一例を示す図である。図５において、表示部７が時系列に沿って順次表示するスルー画像のうち代表的な一枚の画像Ｗｎ（ｎ＝整数）を示す。図５に示すように、撮影者は、例えば表示部７が表示する画像Ｗｎのようなスルー画像を見ながら被写体Ｏ１を撮影する際の構図を決定する。
【００６０】
ステップＳ１０５において、制御部１１は、レリーズスイッチ６ｂから撮影を指示するレリーズ信号が入力されたか否かを判断する。撮影を指示するレリーズ信号が入力されない場合（ステップＳ１０５：Ｎｏ）、制御部１１は、メニュースイッチ６ｅから操作メニューの表示を指示する指示信号が入力されたか否かを判断する（ステップＳ１０６）。メニュースイッチ６ｅから操作メニューの表示を指示する指示信号が入力されない場合（ステップＳ１０６：Ｎｏ）、撮像装置１はステップＳ１０１に戻る。一方、メニュースイッチ６ｅから操作メニューの表示を指示する指示信号が入力された場合（ステップＳ１０６：Ｙｅｓ）、撮像装置１はステップＳ１０７に移行する。
【００６１】
続いて、表示制御部１１ｇは、操作メニューを表示部７が表示する画像Ｗｎ上に表示させる（ステップＳ１０７）。具体的には、図６に示すように、表示制御部１１ｇは、撮影モードメニューアイコンＱ１、特殊効果メニューアイコンＱ２、補助効果メニューアイコンＱ３、ストロボメニューアイコンＱ４、及び終了アイコンＱ５を操作メニューとして画像Ｗｎ上に表示させる。
【００６２】
ここで、図６に示す各種アイコンについて説明する。撮影モードメニューアイコンＱ１は、各撮影シーンそれぞれに適した撮影条件が予め設定された複数の撮影モードに関する情報を表示部７に表示させる指示信号が入力されるアイコンである。特殊効果メニューアイコンＱ２は、撮像部２が生成する画像データに施すことが可能な複数の特殊効果に関する情報（特殊効果メニュー）を表示部７に表示させる指示信号が入力されるアイコンである。補助効果メニューアイコンＱ３は、撮像部２が生成する画像データ、又は特殊効果を施された画像データに施すことが可能な複数の補助効果に関する情報（補助効果メニュー）を表示部７に表示させる指示信号が入力されるアイコンである。ストロボメニューアイコンＱ４は、ストロボ（フラッシュ）のストロボ動作条件の詳細パラメータを表示部７に表示させる指示信号が入力されるアイコンである。ここで、ストロボ動作条件の詳細パラメータとしては、自動発光、発光禁止、赤目発光及び強制発光等のパラメータが表示される。終了アイコンＱ５は、操作メニューの表示を終了させる指示信号が入力されるアイコンである。
【００６３】
表示制御部１１ｇが操作メニューを表示部７が表示する画像Ｗｎ上に表示させた後、制御部１１は、特殊効果メニューの表示を指示する信号が入力されたか否かを判断する（ステップＳ１０８）。具体的には、図６に示すように、制御部１１は、ユーザが表示部７の画像Ｗｎ上に表示される特殊効果メニューアイコンＱ２をタッチすることにより、タッチパネル８が入力を受け付けた信号によって特殊効果メニューアイコンＱ２が選択されたか否かを判断する。
【００６４】
特殊効果メニューの表示を指示する信号が入力された場合（ステップＳ１０８：Ｙｅｓ）、表示制御部１１ｇは、特殊効果の一覧を表示部７が表示する画像Ｗｎ上に表示させる（ステップＳ１０９）。具体的には、図７に示すように、表示制御部１１ｇは、ポップアートアイコンＱ１１、ファンタジックフォーカスアイコンＱ１２、トイフォトアイコンＱ１３、ジオラマアイコンＱ１４、ラフモノクロームアイコンＱ１５、及びスケッチアイコンＱ１６を含む特殊効果アイコンを表示部７が表示する画像Ｗｎ上に表示させる。併せて、表示制御部１１ｇは、何らかの特殊効果が選択されている場合に、選択されている特殊効果をキャンセルする指示を入力するための特殊効果ＯＦＦアイコンＱ１７を画像Ｗｎ上に表示させる。
【００６５】
図４−１に戻り、ステップＳ１１０において、制御部１１は、既に選択されている特殊効果のキャンセルを指示する信号が入力されたか否かを判断する。具体的には、制御部１１は、特殊効果ＯＦＦアイコンＱ１７がタッチされたか否かを判断する。特殊効果のキャンセルを指示する信号が入力された場合（ステップＳ１１０：Ｙｅｓ）、制御部１１は、選択されている特殊効果をキャンセルする（ステップＳ１１１）。その後、撮像装置１はステップＳ１０１に戻る。
【００６６】
一方、特殊効果のキャンセルを指示する信号が入力されない場合（ステップＳ１１０：Ｎｏ）、制御部１１は、いずれかの特殊効果アイコンがタッチされて、特殊効果が選択されたか否かを判断する（ステップＳ１１２）。具体的には、制御部１１は、ポップアートアイコンＱ１１、ファンタジックフォーカスアイコンＱ１２、トイフォトアイコンＱ１３、ジオラマアイコンＱ１４、ラフモノクロームアイコンＱ１５、及びスケッチアイコンＱ１６のいずれかがタッチされたか否かを判断する。いずれかの特殊効果が選択された場合（ステップＳ１１２：Ｙｅｓ）、特殊効果処理部１１１は、表示部７が現在表示している画像に対して選択された特殊効果を与える画像処理及び画像変換のパラメータを設定する（ステップＳ１１３）。その後、撮像装置１はステップＳ１０１に戻る。
【００６７】
図８は、ステップＳ１１３においてパラメータの設定が行われた後に、ステップＳ１０４において表示部７に表示される画像の一例を示す模式図である。図８に示す画像Ｗｎ１は、特殊効果としてファンタジックフォーカスが選択された場合を示している。表示部７が表示する画像Ｗｎ１上には、さらに、現在施されている特殊効果を表すアイコンＱ２１が表示される。これにより、ユーザは、特殊効果が施された画像Ｗｎ１を表示部７上で確認しながら撮影を行うことができる。
【００６８】
一方、いずれの特殊効果も選択されない場合（ステップＳ１１２：Ｎｏ）、制御部１１は、特殊効果の一覧を表示してから所定時間、例えば３０秒経過したか否かを判断する（ステップＳ１１４）。特殊効果の一覧を表示してから所定時間経過していない場合（ステップＳ１１４：Ｎｏ）、撮像装置１はステップＳ１１０に戻る。一方、特殊効果の一覧を表示してから所定時間経過した場合（ステップＳ１１４：Ｙｅｓ）、撮像装置１はステップＳ１０１に戻る。
【００６９】
次に、ステップＳ１０８において、特殊効果メニューの表示を指示する信号が入力されない場合（ステップＳ１０８：Ｎｏ）について説明する。この場合、撮像装置１は図４−２に示すステップＳ１２１に移行し、制御部１１は、補助効果メニューの表示を指示する信号が入力されたか否かを判断する。具体的には、制御部１１は、補助効果メニューアイコンＱ３がタッチされたか否かを判断する。
【００７０】
補助効果メニューの表示を指示する信号が入力された場合（ステップＳ１２１：Ｙｅｓ）、制御部１１は、表示部７が表示する画像に与えられる何らかの補助効果が既に選択されているか否かを判断する（ステップＳ１２２）。何の補助効果も選択されていない場合（ステップＳ１２２：Ｎｏ）、制御部１１は、表示部７が表示する画像に与えられる何らかの特殊効果が既に選択されているか否かを判断する（ステップＳ１２３）。
【００７１】
何らかの特殊効果が選択されている場合（ステップＳ１２３：Ｙｅｓ）、表示制御部１１ｇは、推奨度情報記憶部９ｃが記憶する推奨度情報テーブルを参照して、表示部７が表示する画像に対して施される補助効果に関する情報を、選択されている特殊効果との組み合わせに応じた推奨度の高い順に表示部７に表示させる（ステップＳ１２４）。具体的には、表示制御部１１ｇは、図９に示すように、特殊効果に対して重ねる補助効果をユーザに選択させるための補助効果アイコンを、表示部７が表示する画像Ｗｎ１上に表示させる。補助効果アイコンは、所定の補助効果を選択する指示を入力するためのアイコン（例えば、ホワイトアウトアイコンＱ３２）の他、補助効果を特殊効果に重ねない指示を入力するためのアイコン（「補助効果なし」アイコンＱ３１）も含む。また、表示制御部１１ｇは、これらの補助効果アイコンと共に、補助効果アイコンの切換えを指示する指示信号の入力を受け付ける切換アイコンＱ３３又は切換アイコンＱ３４も表示部７に表示させる。なお、図９においては、補助効果アイコンを２つずつ表示しているが、同時に表示する補助効果アイコンの数は１つであっても良いし、３つ以上であっても良い。また、図９においては、表示部７の画面の下方に、補助効果アイコンを左右に並べて表示しているが、所定数の補助効果アイコンを画面内の所定の位置（例えば左端）に縦に並べて表示しても良い。さらに、選択可能な全ての補助効果アイコンを、推奨度の高い順に並べて一覧表示しても良い。
【００７２】
ここで、図１０を参照して、表示制御部１１ｇが表示部７に表示させる補助効果アイコンの表示方法について説明する。図１０は、推奨度情報記憶部９ｃが記憶する推奨度情報テーブルの一例を示す図である。推奨度情報テーブルＴ１において、第１列目は、撮像装置１において選択可能な特殊効果を示し、第１行目は、撮像装置１において選択可能な補助効果を示す。また、最右列に記載された「効果なし」は、何の補助効果も選択しないことを示す。これは、図９に示す「補助効果なし」アイコンＱ３１に対応する。
【００７３】
推奨度情報テーブルＴ１においては、選択された特殊効果に対して組み合わせ可能な補助効果の推奨度を、例えば数値によって段階的（図１０の場合、０〜８の９段階）で表している。この推奨度の値は、大きくなるほど推奨度が高いことを示す。なお、推奨度は、値が小さくなるほど推奨度が高くなるように設定しても良いし、数値以外で表しても良い（例えば、「適／不適」等）。
【００７４】
この推奨度は、後述するように、撮影時における特殊効果と補助効果との組み合わせの使用頻度や、特殊効果と補助効果とを組み合わせた画像の再生頻度等に応じて随時変更されるが、メーカーからの出荷時には、例えば以下のように初期設定されている。
【００７５】
推奨度情報テーブルＴ１において、特殊効果に重ねることによって相乗効果が期待される補助効果の推奨度は高く設定され、反対に、特殊効果に重ねると効果が分かり難くなる補助効果の推奨度は低くされる。具体的には、特殊効果であるファンタジックフォーカスに対し、補助効果であるホワイトアウト、スターライトとの組み合わせは、比較的推奨度が高い「７」となっており、ピンホール、フレームとの組み合わせは、推奨度が中程度の「５」となっている。また、推奨度情報テーブルＴ１において、全ての特殊効果に対する「効果なし」の推奨度は、いずれの補助効果よりも高い「８」となっている。これは、通常、特殊効果単独でお勧め画像が生成されるように設計されているからである。
【００７６】
推奨度情報テーブルＴ１において、推奨度が記載されていない特殊効果と補助効果との組み合わせ（斜線の欄）は、特殊効果と補助効果とで反対の画像処理を行うため効果が相殺されてしまう組み合わせや、特殊効果のための一連の画像処理の中に補助効果の画像処理が既に含まれているため重ねる意味がない組み合わせ等を示す。具体的には、トイフォトに対するピンホール及びホワイトアウトや、ファンタジックフォーカスに対するソフトフォーカス等が該当する。本実施の形態においては、このような組み合わせを表示部７に表示せず、ユーザが選択できないようにしている。
【００７７】
次に、推奨度情報テーブルＴ１に示す推奨度に応じた補助効果アイコンの表示方法を説明する。図９に示すように、表示部７に所定数（例えば２つ）だけ補助効果アイコンを表示する場合、表示制御部１１ｇは、推奨度の高い順に所定の方向から（例えば左側から）補助効果アイコンを並べる。なお、推奨度が等しい補助効果が複数存在する場合、それらの補助効果に対応するアイコンについては、デフォルトの順序（例えば五十音順）で並べても良い。或いは、推奨度が等しい補助効果に対応する補助効果アイコンを、アイコン数によらず、推奨度ごとに同時に表示しても良い。
【００７８】
図４−２に戻り、ステップＳ１２５において、制御部１１は、補助効果を重ねて施さないことを指示する信号が入力されたか否かを判断する。具体的には、制御部１１は、「補助効果なし」アイコンＱ３１がタッチされたか否かを判断する。補助効果を施さないことを指示する信号が入力された場合（ステップＳ１２５：Ｙｅｓ）、撮像装置１はステップＳ１０１に戻る。
【００７９】
一方、補助効果を重ねて施さないことを指示する信号が入力されない場合（ステップＳ１２５：Ｎｏ）、制御部１１は、いずれかの補助効果を施すためのアイコンがタッチされて、補助効果が選択されたか否かを判断する（ステップＳ１２６）。具体的には、制御部１１は、図９に示す「補助効果なし」アイコンＱ３１以外の補助効果アイコン（例えばホワイトアウトアイコンＱ３２）がタッチされたか否かを判断する。いずれかの補助効果が選択された場合（ステップＳ１２６：Ｙｅｓ）、補助効果処理部１１２は、表示部７が現在表示している画像に対して選択された補助効果を与える画像処理を設定する（ステップＳ１２７）。その後、撮像装置１はステップＳ１０１に戻る。
【００８０】
図１１は、ステップＳ１２７において画像処理が設定された後に、ステップＳ１０４において表示部７に表示される画像の一例を示す模式図である。図１１に示す画像Ｗｎ２は、特殊効果としてファンタジックフォーカスが施された画像に対し、補助効果としてホワイトアウトが重ねられた場合を示している。表示部７が表示する画像Ｗｎ２上には、さらに、現在施されている特殊効果を表すアイコンＱ３５、及び現在施されている補助効果を表すアイコンＱ３６が表示される。これにより、ユーザは、特殊効果及び補助効果が施された画像Ｗｎ２を表示部７上で確認しながら撮影を行うことができる。
【００８１】
次に、ユーザによっていずれの補助効果も選択されない場合（ステップＳ１２６：Ｎｏ）について説明する。この場合、制御部１１は、補助効果アイコンの切換操作が行われたか否かを判断する（ステップＳ１２８）。具体的には、図９に示す画面において、制御部１１は、ユーザが切換アイコンＱ３３又は切換アイコンＱ３４をタッチしたか否かを判断する。所定時間、例えば３０秒内にユーザによって補助効果アイコンの切換操作が行われていない場合（ステップＳ１２８：Ｎｏ）、撮像装置１はステップＳ１０１に戻る。
【００８２】
一方、ユーザによって補助効果アイコンの切換操作が行われた場合（ステップＳ１２８：Ｙｅｓ）、表示制御部１１ｇは、推奨度情報テーブルＴ１を参照して、次に推奨度が高い補助効果アイコンを表示部７に表示させる（ステップＳ１２９）。具体的には、図１２に示すように、表示制御部１１ｇは、「補助効果なし」アイコンＱ３１及びホワイトアウトアイコンＱ３２を消去し、スターライトアイコンＱ３７及びピンホールアイコンＱ３８を表示部７に表示させる（図１２（ａ）→図１２（ｂ））。これにより、ユーザは、所望の補助効果を適宜選択することができる。
【００８３】
推奨度情報テーブルＴ１に示す推奨度に応じた補助効果アイコンの切換方法としては、図１２に示すように、補助効果アイコンを全て入れ替えて表示しても良いし、補助効果アイコンを１つずつ所定の方向（例えば左方向）にシフトさせ、新たに生じたスペースに、次に推奨度が高い補助効果に対応するアイコンを追加しても良い。
ステップＳ１２９の後、撮像装置１はステップＳ１２５に戻る。
【００８４】
図４−２に戻り、ステップＳ１２３において何も特殊効果が選択されていない場合（ステップＳ１２３：Ｎｏ）について説明する。この場合、図１３に示すように、表示制御部１１ｇは、撮像装置１において選択可能な補助効果を示すアイコン群Ｑ４０を、表示部７に表示させる（ステップＳ１３１）。
【００８５】
次に、ステップＳ１２２において既に何らかの補助効果が選択されている場合（ステップＳ１２２：Ｙｅｓ）について説明する。このとき、表示部７には、選択された補助効果を施された画像と、その補助効果を示すアイコンが表示されている（ステップＳ１２８参照）。例えば、第１の補助効果としてピンホールが選択された場合、図１４に示すように、表示部７には、ピンホール効果を施された画像Ｗｎ３と、ピンホールアイコンＱ５１が表示される。
【００８６】
この場合、表示制御部１１ｇは、推奨度情報記憶部９ｃが記憶する推奨度情報テーブルを参照して、表示部７が表示する画像に重ねて施される第２の補助効果に関する情報を、選択されている第１の補助効果との組み合わせに応じた推奨度の高い順に表示部７に表示させる（ステップＳ１３２）。具体的には、表示制御部１１ｇは、図１５に示すように、第１の補助効果に対して重ねる第２の補助効果をユーザに選択させるための補助効果アイコンを、表示部７が表示する画像Ｗｎ３上に表示させる。補助効果アイコンは、所定の補助効果を選択する指示を入力するためのアイコン（例えば、スターライトアイコンＱ５３）の他、第２の補助効果を重ねない指示を入力するためのアイコン（「２ｎｄ補助効果なし」アイコンＱ５２）も含む。なお、図１５においては、補助効果アイコンを２つずつ表示しているが、同時に表示する補助効果アイコンの数は１つであっても良いし、３つ以上であっても良い。また、図１５においては、表示部７の画面の下方に補助効果アイコンを左右に並べて表示しているが、所定数の補助効果アイコンを画面内の所定の位置（例えば左端）に縦に並べて表示しても良い。さらに、選択可能な全ての補助効果アイコンを、推奨度の高い順に並べて一覧表示しても良い。
【００８７】
また、図１５に示すように、選択可能な補助効果アイコンの表示と併せて、表示制御部１１ｇは、既に選択されている第１の補助効果をキャンセルする指示を入力するための補助効果ＯＦＦアイコンＱ５４を画像Ｗｎ３上に表示させる。
【００８８】
ここで、図１６を参照して、表示制御部１１ｇが表示部７に表示させる補助効果アイコンの表示方法について説明する。図１６は、推奨度情報記憶部９ｃが記憶する推奨度情報手テーブルの別の例を示す図である。推奨度情報テーブルＴ２において、第１列目及び第１行目は、撮像装置１において選択可能な第１及び第２の補助効果（補助効果１及び２）を示す。また、最右列に記載された「効果なし」は、第１の補助効果に対して何の補助効果も重ねないことを示す。これは、図１５に示す「２ｎｄ補助効果なし」アイコンＱ５２に対応する。
【００８９】
推奨度情報テーブルＴ２においては、選択済みの第１の補助効果に対して組み合わせ可能な第２の補助効果の推奨度を、例えば数値によって段階的（図１６の場合、０〜８の９段階）で表している。この推奨度の値は、大きくなるほど推奨度が高いことを示す。なお、推奨度は、値が小さくなるほど推奨度が高くなるように設定しても良いし、数値以外で表しても良い（例えば、「適／不適」等）。
【００９０】
この推奨度は、後述するように、撮影時における補助効果同士の組み合わせの使用頻度や、補助効果同士を組み合わせた画像の再生頻度等に応じて随時変更されるが、メーカーからの出荷時には、例えば以下のように初期設定されている。
【００９１】
推奨度情報テーブルＴ２において、第１の補助効果に重ねることによって相乗効果が期待される第２の補助効果の推奨度は高く設定され、反対に、第１の補助効果に重ねると効果が分かり難くなる第２の補助効果の推奨度は低く設定される。具体的には、ピンホールを第１の補助効果とした場合に、スターライトとの組み合わせは比較的推奨度が高い「５」となっている。また、推奨度情報テーブルＴ２において、全ての第１の補助効果に対する「効果なし」の推奨度は、いずれの第２の補助効果よりも高い「８」となっている。これは、一般に、補助効果を重ねると画像が煩雑になるので、補助効果は単体で施すことが望ましいからである。
【００９２】
推奨度情報テーブルＴ２において、推奨度が記載されていない第１及び第２の補助効果の組み合わせ（斜線の欄）は、第１の補助効果と第２の補助効果とで反対の画像処理を行うため効果が相殺されてしまう組み合わせや、同じ補助効果であるため重ねる意味がない組み合わせを示す。本実施の形態においては、このような組み合わせを表示部７に表示せず、ユーザが選択できないようにしている。
【００９３】
なお、推奨度情報テーブルＴ２に示す各組み合わせの推奨度に応じた補助効果アイコンの表示方法については、ステップＳ１２４で説明したものと同様である。
【００９４】
次に、ステップＳ１３３において、制御部１１は、既に選択されている補助効果のキャンセルを指示する信号が入力されたか否かを判断する。具体的には、制御部１１は、補助効果ＯＦＦアイコンＱ５４がタッチされたか否かを判断する。補助効果のキャンセルを指示する信号が入力された場合（ステップＳ１３３：Ｙｅｓ）、制御部１１は、第１の補助効果をキャンセルする（ステップＳ１３４）。その後、撮像装置１はステップＳ１０１に戻る。一方、補助効果のキャンセルを指示する信号が入力されない場合（ステップＳ１３３：Ｎｏ）、撮像装置１はステップＳ１２５に移行する。
【００９５】
次に、ステップＳ１２１において補助効果メニューの表示を指示する信号が入力されない場合（ステップＳ１２１：Ｎｏ）について説明する。この場合、制御部１１は、タッチされたアイコンに応じたメニュー処理を実行する（ステップＳ１４０）。具体的には、図６に示す画面において撮影モードメニューアイコンＱ１がタッチされた場合、制御部１１は撮影モードメニューを表示部７に表示させてユーザに撮影モードを選択させ、その後、ステップＳ１０１に戻る。また、ストロボメニューアイコンＱ４がタッチされた場合、制御部１１はストロボメニューを表示部７に表示させてユーザにストロボ動作条件を選択させ、その後、ステップＳ１０１に戻る。終了メニューＱ５が選択された場合、撮像装置１はそのままステップＳ１０１に戻る。
【００９６】
次に、設定された条件で表示用画像データを生成する処理（ステップＳ１０３）について説明する。図１７は、ステップＳ１０３における処理の概要を示すフローチャートである。
まず、ステップＳ１５１において、画像処理部１１ｂは、信号処理部２ｈから出力されたＲＡＷ画像データを取得する。
【００９７】
続くステップＳ１５２において、画像処理部１１ｂは、現在設定されているパラメータを用いてＲＡＷ画像データに所定の画像処理及び画像変換を施すことにより、表示用画像データを生成する。このとき、特殊効果処理部１１１によって何らかの特殊効果を与えるパラメータが設定されている場合（ステップＳ１１３参照）、設定された特殊効果が施された表示用画像データが生成される。一方、特殊効果処理部１１１によるパラメータの設定が行われていない場合、オリジナルのパラメータに基づき、特殊効果が施されていない表示用画像データが生成される。
【００９８】
続いて、何らかの補助効果を与える画像処理（ステップＳ１２７参照）が設定されている場合（ステップＳ１５３：Ｙｅｓ）、補助効果処理部１１２は、設定された画像処理を表示用画像データに施す（ステップＳ１５４）。その後、撮像装置１はメインルーチン戻る。一方、補助効果を与える画像処理が設定されていない場合（ステップＳ１５３：Ｎｏ）、撮像装置１はそのままメインルーチンに戻る。
【００９９】
次に、ステップＳ１０５においてレリーズスイッチ６ｂから撮影を指示するレリーズ信号が入力された場合（ステップＳ１０５：Ｙｅｓ）について説明する。この場合、撮像装置１は、被写体を撮影する撮影処理を実行する（ステップＳ２００）。その後、撮像装置１はステップＳ１０１に戻る。
【０１００】
図１８は、ステップＳ２００における撮像処理の概要を示すフローチャートである。
画像処理部１１ｂは、レリーズ信号が入力されると、このレリーズ信号に応じたタイミングで撮像されて信号処理部２ｈから出力されたＲＡＷ画像データを取得する（ステップＳ２０１）。続いて、画像処理部１１ｂは、現在設定されているパラメータを用いてＲＡＷ画像データに所定の画像処理及び画像変換を施すことにより、撮影処理済み画像データを生成する（ステップＳ２０２）。このとき、特殊効果処理部１１１によって何らかの特殊効果を与えるパラメータが設定されている場合（ステップＳ１１３参照）、設定された特殊効果が施された撮影処理済み画像データが生成される。一方、特殊効果処理部１１１によるパラメータの設定が行われていない場合、オリジナルのパラメータに基づき、特殊効果が施されていない撮影処理済み画像データが生成される。
【０１０１】
続いて、何らかの補助効果を与える画像処理（ステップＳ１２７参照）が設定されている場合（ステップＳ２０３：Ｙｅｓ）、補助効果処理部１１２は、設定された画像処理を撮影処理済み画像データに施す（ステップＳ２０４）。その後、撮像装置１はステップＳ２０５に移行する。一方、補助効果を与える画像処理が設定されていない場合（ステップＳ２０３：Ｎｏ）、撮像装置１はそのままステップＳ２０５に移行する。
【０１０２】
ステップＳ２０５において、画像処理部１１ｂは、撮影処理済み画像データに対し、ＪＰＥＧ等の圧縮処理を施す。
【０１０３】
続いて、制御部１１は、圧縮された撮影処理済み画像データを含む画像ファイルを生成して画像データ記憶部９ａに記憶させる（ステップＳ２０６）。この画像ファイルには、静止画撮影の場合、少なくとも撮影処理済み画像データ、撮影処理済み画像データ生成の際に施した特殊効果及び撮影処理済み画像データに対して施した補助効果の有無情報や種類情報、及び日時情報が含まれる。また、動画撮影の場合、少なくとも撮影処理済画像データ、撮影処理済み画像データ生成の際に施した特殊効果及び撮影処理済み画像データに対して施した補助効果の有無情報や種類情報、特殊効果及び補助効果の使用回数情報、及び日時情報が含まれる。
【０１０４】
その後、表示制御部１１ｇは、撮影した画像データに対応する画像を所定時間（例えば、３秒間）だけ表示部７にレックビュー表示させる（ステップＳ２０７）。
【０１０５】
表示部７による撮影した画像のレックビュー表示後、制御部１１は、レックビュー表示した画像が特殊効果及び／又は補助効果が施された画像であるか否かを判断する（ステップＳ２０８）。具体的には、制御部１１は、レックビュー表示した画像の画像ファイルに含まれる情報に基づいて、レックビュー表示した画像に特殊効果及び／又は補助効果が施されているか否かを判断する。レックビュー表示した画像に特殊効果及び／又は補助効果が施されていない場合（ステップＳ２０８：Ｎｏ）、撮像装置１はメインルーチンに戻る。一方、レックビュー表示した画像に特殊効果及び／又は補助効果が施されている場合（ステップＳ２０８：Ｙｅｓ）、撮像装置１はステップＳ２０９に移行する。
【０１０６】
ステップＳ２０９において、使用履歴更新部１１ｃは、使用履歴情報記憶部９ｄが記憶する使用履歴情報に対して、レックビュー表示した画像に施された特殊効果と補助効果との組み合わせ、又は補助効果同士の組み合わせの使用履歴情報を更新する。
【０１０７】
その後、推奨度変更部１１ｅは、使用履歴情報記憶部９ｄが記憶する使用履歴情報に基づいて、推奨度情報記憶部９ｃが記憶する推奨度情報テーブルＴ１に含まれる特殊効果と補助効果との組み合わせ、又は推奨度情報テーブルＴ２に含まれる補助効果同士の組み合わせの中で、使用回数が所定回数（例えば１００回）を超えた組み合わせの推奨度を変更する（ステップＳ２１０）。例えば、図１０に示す「ポップアート」と「ピンホール」との組み合わせの使用回数が１００回を超えた際に、その推奨度が「５」から「６」に変更される。また、このとき、推奨度変更部１１ｅは、使用回数が所定回数よりも少ない組み合わせ（例えば、最近１ヶ月以内に１度も撮像に使用されていない組み合わせ）の推奨度を所定段階だけ引き下げても良い。
その後、撮像装置１はメインルーチンに戻る。
【０１０８】
次に、ステップＳ１０２において、撮像装置１が撮影モードに設定されていない場合（ステップＳ１０２：Ｎｏ）について説明する。この場合、撮像装置１は、撮影した画像データを再生する再生表示処理を実行する（ステップＳ３００）。
【０１０９】
図１９は、ステップＳ３００における再生表示処理の概要を示すフローチャートである。
まず、表示制御部１１ｇは、画像データ記憶部９ａに記憶された複数の画像をまとめて表示した画像選択画面を表示部７に表示させる（ステップＳ３０１）。
【０１１０】
続いて、制御部１１は、ユーザがタッチパネル８をタッチすることによって表示部７が表示する画像選択画面の中から画像が選択されたか否かを判断する（ステップＳ３０２）。所定時間、例えば３０秒経過後に、ユーザによって画像選択画面の中から画像が選択されていない場合（ステップＳ３０２：Ｎｏ）、撮像装置１は後述するステップＳ３０９に移行する。
【０１１１】
一方、ユーザによって画像選択画面の中から画像が選択された場合（ステップＳ３０２：Ｙｅｓ）、制御部１１は、選択された画像が特殊効果及び／又は補助効果が施された画像であるか否かを判断する（ステップＳ３０３）。具体的には、制御部１１は、選択された画像の画像ファイルに含まれる情報に基づいて、選択された画像に特殊効果及び／又は補助効果が施されているか否かを判断する。選択された画像に特殊効果及び／又は補助効果が施されていない場合（ステップＳ３０３：Ｎｏ）、撮像装置１は後述するステップＳ３０６に移行する。
【０１１２】
一方、選択された画像に特殊効果及び／又は補助効果が施されている場合（ステップＳ３０３：Ｙｅｓ）、再生履歴更新部１１ｄは、再生履歴情報記憶部９ｅが記憶する再生履歴情報に対して、選択された画像に施された特殊効果と補助効果との組み合わせ、又は補助効果同士の組み合わせの再生履歴を更新する（ステップ３０４）。
【０１１３】
その後、推奨度変更部１１ｅは、再生履歴情報記憶部９ｅが記憶する再生履歴情報に基づいて、推奨度情報記憶部９ｃが記憶する推奨度情報テーブルＴ１に含まれる特殊効果と補助効果との組み合わせ、又は推奨度情報テーブルＴ２に含まれる補助効果同士の組み合わせの中で、再生回数（例えば１００回）が所定回数を超えた組み合わせの推奨度を変更する（ステップＳ３０５）。また、このとき、推奨度変更部１１ｅは、再生回数が所定回数よりも少ない組み合わせ（例えば、最近１ヶ月以内に１度も再生されていない組み合わせ）の推奨度を所定段階だけ引き下げても良い。
その後、撮像装置１はメインルーチンに戻る。
【０１１４】
その後、表示制御部１１ｇは、ユーザによって選択された画像を表示部７に全画面表示させる（ステップＳ３０６）。
【０１１５】
ステップＳ３０７において、制御部１１は、ユーザが操作スイッチ６ｄを操作することにより、操作スイッチ６ｄから表示部７が表示する画像の切換えを指示する指示信号が入力されたか否かを判断する。画像の切換えを指示する指示信号が入力された場合（ステップＳ３０７：Ｙｅｓ）、表示制御部１１ｇは、表示部７が現在表示している画像の切換えを行い（ステップＳ３０８）、撮像装置１はステップＳ３０３に戻る。一方、画像の切換を指示する指示信号が入力されていない場合（ステップＳ３０７：Ｎｏ）、制御部１１は、画像再生の終了操作が行われたか否かを判断する（ステップＳ３０９）。具体的には、制御部１１は、ユーザによってモード切換スイッチ６ｃが操作されることにより、撮像装置１が再生モードから撮影モードに切換えられたか否かを判断する。画像再生の終了操作が行われていない場合（ステップＳ３０９：Ｎｏ）、撮像装置１はステップＳ３０１に戻る。一方、画像再生の終了操作が行われた場合（ステップＳ３０９：Ｙｅｓ）、撮像装置１はメインルーチンに戻る。
【０１１６】
以上説明した本発明の一実施の形態においては、表示制御部１１ｇが、撮像部２によって生成された画像データに、ユーザが選択した特殊効果又は補助効果を施して表示部７に表示させるとともに、推奨度情報記憶部９ｃが記憶する推奨度情報テーブルＴ１又はＴ２を参照して、表示部７に表示された画像にさらに施すべき補助効果に関する情報を、特殊効果と補助効果との組み合わせ、又は補助効果同士の組み合わせに応じた推奨度の高い順に表示部７に表示させる。これにより、撮像装置１は、選択された特殊効果又は補助効果に対して重ねられる補助効果の組み合わせの指針となる情報をユーザに提示することができる。従って、ユーザは、表示部７の表示を参照することにより、被写体を撮像した画像に対して重ねる複数の視覚効果の組み合わせを容易に選択することが可能となる。
【０１１７】
また、本発明の一実施の形態においては、表示制御部１１ｇが、最初に推奨度が高い補助効果のアイコンを表示部７に表示させるので、ユーザは補助効果の選択操作によって被写体のシャッタチャンスを逃すことなく、所望の特殊効果及び／又は補助効果を施した画像を得ることができる。
【０１１８】
さらに、本発明の一実施の形態においては、推奨度変更部１１ｅが、使用履歴情報記憶部９ｄに記憶された使用履歴情報又は再生履歴情報記憶部９ｅに記憶された再生履歴情報に基づいて、推奨度情報記憶部９ｃが記憶する推奨度情報テーブルＴ１又はＴ２に含まれる特殊効果と補助効果との組み合わせ、又は補助効果同士の組み合わせの中で使用（再生）回数が所定回数を超える（又は下回る）組み合わせの推奨度を変更する。これにより、撮像装置１は、ユーザによる使用状況や再生状況を加味した特殊効果と撮影モードとの組み合わせ、又は２種類の補助効果同士の組み合わせの指針となる情報をユーザに提示することができる。なお、上記説明においては、使用（再生）回数が所定回数を超える（又は下回る）特殊効果と補助効果との組み合わせ、又は補助効果同士の組み合わせの推奨度を変更したが、動画の場合には、使用（再生）時間が所定時間を越える（又は下回る）組み合わせの推奨度を変更しても良い。
【０１１９】
なお、本発明の一実施の形態においては、制御部１１が、表示部７によって画像上に表示される各種アイコンがタッチされた際にタッチパネル８が入力を受け付けた信号によってユーザが所望するアイコンを選択して決定していたが、操作スイッチ６ｄから入力される指示信号に応じてユーザが所望するアイコンを選択して決定してもよい。これにより、ユーザは、操作スイッチ６ｄを操作することで表示部７が表示する特殊効果に関する情報及び補助効果に関する情報を選択して決定することができる。
【０１２０】
また、本発明の一実施の形態において、表示制御部１１ｇは、推奨度情報テーブルＴ１に記載された特殊効果と補助効果との組み合わせ、又は推奨度情報テーブルＴ２に記載された補助効果同士の組み合わせの特徴に応じて、特殊効果アイコンや補助効果アイコンの色及び／又は大きさを変えて表示部７に表示させてもよい。例えば、組み合わせの推奨度が高いほどアイコンの大きさを大きくする、或いは、特定の画像処理（例えば、画像の変形）を含む効果の組み合わせは特定の色のアイコンで表示するといった表示方法が挙げられる。これにより、ユーザは、特殊効果と補助効果との組み合わせ、又は補助効果同士の組み合わせの選択の指針となる情報を直感的に確認することができる。
【０１２１】
さらに、本実施の一実施の形態において、表示制御部１１ｇは、選択された特殊効果又は第１の補助効果に対して選択可能な補助効果アイコンを２つずつ表示部７に表示させていたが、選択可能な補助効果アイコンを全て同時に表示部７に表示させても良いし、選択可能な補助効果アイコンを推奨度ごとに表示部７に表示させてもよい。これらの場合、表示制御部１１ｇは、例えば図１３と同様に補助効果アイコンを縦一列に並べて表示部７に表示させても良いし、横一列に並べて表示させても良い。
【０１２２】
また、本発明の一実施の形態においては、メニュースイッチ６ｅから操作メニューの表示を指示する指示信号が入力された場合、表示制御部１１ｇが推奨度情報記憶部９ｃによって記憶された推奨度情報テーブルＴ１又はＴ２を参照して、既に選択されている特殊効果又は第１の補助効果が施された画像に対して、組み合わせの推奨度が高い順に補助効果を縦一列に並べて表示してもよい。具体的には、図２０に示すように、表示制御部１１ｇは、ユーザが操作スイッチ６ｄを操作することにより、操作スイッチ６ｄから補助効果メニューＭ１の選択を指示する指示信号が入力された場合、補助効果メニューの一覧を表示部７に表示させてもよい。この際、ユーザによって操作スイッチ６ｄが操作されて初期化Ｍ２が選択された場合、初期化部１１ｆは、推奨度変更部１１ｅによって変更された推奨度情報テーブルＴ１及びＴ２の推奨度を初期化する。これにより、撮像装置１は、メーカー出荷時の設定に戻された推奨度情報テーブルＴ１及びＴ２に基づいて処理を行うことができる。
【０１２３】
また、本発明の一実施の形態においては、ユーザにより、メニュースイッチ６ｅから推奨度情報記憶部９ｃが記憶する推奨度情報テーブルＴ１又はＴ２の表示を指示する指示信号が入力された場合、表示制御部１１ｇが推奨度情報テーブルＴ１又はＴ２を表示部７に表示させてもよい。具体的には、図２１に示すように、表示制御部１１ｇは、例えば推奨度情報テーブルＴ１を表示部７に表示させる。この際、ユーザは、操作スイッチ６ｄを操作することにより、推奨度情報テーブルＴ１又はＴ２に記載された推奨度を変更してもよい。これにより、ユーザは、特殊効果と補助効果との組み合わせ、又は補助効果同士の組み合わせの指針となる推奨度を視認しながら変更することができる。
【０１２４】
本発明の一実施の形態においては、通信部１０を介して撮像装置１をパーソナルコンピュータやサーバ等の外部処理装置に接続し、特殊効果と補助効果との組み合わせ、又は補助効果同士の組み合わせに関する情報を外部処理装置から受信しても良い。この場合、推奨度変更部１１ｅは、受信した情報に基づいて、推奨度情報記憶部９ｃが記憶する推奨度情報テーブルＴ１又はＴ２の更新又は書き換えを行うことができる。これにより、表示制御部１１ｇは、新たに追加された特殊効果と補助効果の組み合わせ、又は補助効果同士の組み合わせを加味した推奨度で、特殊効果アイコン又は補助効果アイコンを表示することができる。或いは、記憶部９に装着可能な記憶媒体（例えばメモリカード）に、新たに追加された特殊効果と補助効果との組み合わせ、又は補助効果同士の組み合わせの推奨度を記憶させても良い。この場合、制御部１１が新たに追加された組み合わせの推奨度をこの記憶媒体から取得して推奨度情報記憶部９ｃに記憶させることにより、推奨度変更部１１ｅは、推奨度情報テーブルの更新又は書き換えを行うことができる。
【０１２５】
本発明の一実施の形態においては、姿勢検出部３は、撮像装置１の姿勢状態を検出していたが、例えば、ユーザが表示部７の表示画面をタップした際に生じる加速度を検出することにより、撮像装置１の各種撮影モード又は各種設定を切換えるタッチ操作の操作信号を受け付け、この操作信号を制御部１１に出力するようにしてもよい。
【０１２６】
本発明の一実施の形態においては、ユーザによって切換アイコンＱ３３、Ｑ３４がタッチされた場合に、表示制御部１１ｇが特殊効果アイコンを切換えていたが、例えばユーザが表示部７の画像上に表示される特殊効果アイコンの領域上でタッチパネル８にタッチした軌跡に応じて表示制御部１１ｇが特殊効果アイコンに切換えてもよい。
【０１２７】
本発明の一実施の形態においては、撮像装置１をデジタルカメラとして説明していたが、例えば一眼デジタルスチールカメラ、デジタルビデオカメラ、カメラ付き携帯電話等の撮影機能を備えた各種電子機器に適用することができる。
【符号の説明】
【０１２８】
１  撮像装置
２  撮像部
２ａ  レンズ部
２ｂ  レンズ駆動機構
２ｃ  絞り
２ｄ  絞り駆動機構
２ｅ  シャッタ
２ｆ  シャッタ駆動機構
２ｇ  撮像素子
２ｈ  信号処理部
３  姿勢検出部
４  発光部
５  時計
６  操作入力部
６ａ  電源スイッチ
６ｂ  レリーズスイッチ
６ｃ  モード切換スイッチ
６ｄ  操作スイッチ
６ｅ  メニュースイッチ
６ｆ  ズームスイッチ
７  表示部
８  タッチパネル
９  記憶部
９ａ  画像データ記憶部
９ｂ  プログラム記憶部
９ｃ  推奨度情報記憶部
９ｄ  使用履歴情報記憶部
９ｅ  再生履歴情報記憶部
１０  通信部
１１  制御部
１１ａ  撮影モード設定部
１１ｂ  画像処理部
１１ｃ  使用履歴更新部
１１ｄ  再生履歴更新部
１１ｅ  推奨度変更部
１１ｆ  初期化部
１１ｇ  表示制御部
１１１  特殊効果処理部
１１２  補助効果処理部
【図１】
0005646318.tif 000002
【図２】
0005646318.tif 000003
【図３】
0005646318.tif 000004
【図４−１】
0005646318.tif 000005
【図４−２】
0005646318.tif 000006
【図５】
0005646318.tif 000007
【図６】
0005646318.tif 000008
【図７】
0005646318.tif 000009
【図８】
0005646318.tif 000010
【図９】
0005646318.tif 000011
【図１０】
0005646318.tif 000012
【図１１】
0005646318.tif 000013
【図１２】
0005646318.tif 000014
【図１３】
0005646318.tif 000015
【図１４】
0005646318.tif 000016
【図１５】
0005646318.tif 000017
【図１６】
0005646318.tif 000018
【図１７】
0005646318.tif 000019
【図１８】
0005646318.tif 000020
【図１９】
0005646318.tif 000021
【図２０】
0005646318.tif 000022
【図２１】
0005646318.tif 000023